(57)【要約】【課題】回路基板に設けられたコネクタを当該回路基板に接続するための接続端子間へのゴミの入り込みを防止できる接続端子保護構造を有する遊技機を提供する。【解決手段】保護シート１２０は、コネクタ１１１，１１２の平面視における外形より小さい開口部１２２，１２３と、この開口部の開口縁部に形成されて、当該開口部を拡げるための切込み１２２ａ，１２３ａとを有し、保護シート１２０は、拡げられている開口部１２２，１２３にコネクタ１１１，１１２が挿通された状態で、外周部がサブ中継基板１００の表面に密着しているとともに、開口縁部１２２ｂ，１２３ｂが、接続端子１１１ａ，１１２ａが設けられている側の側面に接続端子１１１ａ，１１２ａよりコネクタ１１１，１１２の先端部側において密接しているので、接続端子間へのゴミの入り込みを防止できる。【選択図】図６
2017158822.tif 000002
【特許請求の範囲】
【請求項１】
回路基板に設けられたコネクタを前記回路基板に接続するための接続端子を保護シートによって保護する接続端子保護構造を有する遊技機であって、
前記保護シートは、前記コネクタの平面視における外形より小さい開口部と、この開口部の開口縁部に形成されて、当該開口部を拡げるための切込みとを有し、
前記保護シートは、拡げられている前記開口部にコネクタが挿通された状態で、外周部が前記回路基板の表面に密着しているとともに、前記開口縁部が、前記コネクタの側面のうち、少なくとも前記接続端子が設けられている側の側面に前記接続端子より前記コネクタの先端部側において密接していることを特徴とする遊技機。
【請求項２】
前記切込みは、前記開口縁部のうち、少なくとも前記接続端子が設けられている側の側面と対向する開口縁部の両端側に形成されていることを特徴とする請求項１に記載の遊技機。
【請求項３】
前記開口部の開口縁は四角形状に形成されており、この四角形状の開口縁の隅部に前記切込みが前記開口縁を構成する辺に対して傾斜して形成されていることを特徴とする請求項１または２に記載の遊技機。
【請求項４】
回路基板に設けられたコネクタを前記回路基板に接続するための接続端子を保護シートによって保護する接続端子保護構造を有する遊技機であって、
前記保護シートは、前記コネクタの平面視における外形より小さい開口部を有するとともに、当該開口部を弾性的に拡げられるような柔軟性を有し、
前記保護シートは、弾性的に拡げられている前記開口部にコネクタが挿通された状態で、外周部が前記回路基板の表面に密着しているとともに、前記開口部の開口縁部が、前記コネクタの側面のうち、少なくとも前記接続端子が設けられている側の側面に前記接続端子より前記コネクタの先端部側において弾性的に密接していることを特徴とする遊技機。
【請求項５】
前記回路基板に複数のコネクタが設けられており、
前記保護シートは、複数の前記コネクタがそれぞれ挿通される複数の開口部を有していることを特徴とする請求項１〜４のいずれか１項に記載の遊技機。
【発明の詳細な説明】
【技術分野】
【０００１】
本発明は、回路基板に設けられたコネクタを回路基板に接続するための接続端子を保護する接続端子保護構造を有する遊技機に関する。
【背景技術】
【０００２】
パチンコ機やスロットマシン等の遊技機は、パチンコ球やメダル等の遊技媒体の投入を受けてゲームを開始する。遊技機は、回転リールの絵柄が揃ったり、入賞口に遊技媒体が入ったときに遊技媒体を払い出すものであるが、このような判断は内部のコンピュータによる抽選の結果に従う。抽選処理や遊技媒体の払い出しなどの制御のために、遊技機はＣＰＵ等の電子部品を搭載した基板を複数備えている。また、信号の送受信や電源供給のために、基板には１つまたは複数のコネクタが設けられている。これらコネクタに複数の電線からなる配線（ワイヤハーネス、単にハーネスとも呼ぶ）のコネクタが接続されることにより、各基板相互間および電源部との電気的接続が完成し、遊技機は動作可能な状態になる。通常は配線の両端にコネクタが設けられている。
【０００３】
また、遊技機は、遊技者の操作を受けて内部抽選および入賞判定を行ったり、回転リールの回転・停止やメダルの払い出しなどの処理を行うためのメイン基板、メイン基板からコマンド信号を受けて内部抽選の結果を報知したり各種演出を行うためのものサブ基板、電源部からの配線を一度受け、各基板に分配するとともに、各基板向けの配線用のコネクタを設けた中継基板等を備えている。
【０００４】
遊技機では通常、中継基板に当該中継基板を保護するためのカバーが被せられている。また、このカバーには、中継基板に設けられているコネクタを露出させるための開口部が設けられており、この開口部は、コネクタの外形寸法の交差によるバラツキや実装ずれ等を吸収するために、平面視においてコネクタの外形より一回り大きなものとなっている。
【０００５】
また、遊技機において、コネクタが設けられた制御基板の例として、特許文献１および特許文献２に記載のものが知られている。
特許文献１に記載されている制御基板にはスペーサ部材が設けられている。スペーサ部材は、コネクタの周囲で制御基板とケース蓋体との間の隙間を埋めるもので、当該スペーサ部材には、制御基板側のコネクタが嵌合可能なコネクタ嵌合穴が例えばコネクタ毎に独立して設けられており、それらコネクタ嵌合穴にコネクタを嵌合させた状態で、制御基板とケース蓋体側の凹部の底面部との間に装着されている。
【０００６】
また、特許文献２に記載されているメイン基板の表面には、コネクタの外形に沿うように抜け部が形成された保護用シートが載置され、容易に剥がれないようにメイン基板と両面テープで接着されている。コネクタと抜け部とのクリアランスは約０．５ｍｍ以下となっているので、この隙間を通して電気的な細工を施すことは不可能に近い。このため、ゴト対策に絶大な効果がある。
【先行技術文献】
【特許文献】
【０００７】
【特許文献１】特開２００９−１５３５８４号公報
【特許文献２】特開２００６−１４１７４６号公報
【発明の概要】
【発明が解決しようとする課題】
【０００８】
ところで、上述したように、遊技機の中継基板に被せられているカバーには、中継基板に設けられているコネクタを露出させるための開口部が設けられており、この開口部は、コネクタの外形寸法の交差によるバラツキや実装ずれ等を吸収するために、平面視においてコネクタの外形より一回り大きなものとなっている。このため、開口部の開口縁とコネクタの側面との間には隙間が生じている。したがって、遊技機の設置、交換、メンテナンス等の際にこの隙間にゴミが侵入し、このゴミが前記隙間に露出している接続端子間に入り込むと、不具合の原因になり得るばかりか、特にこのゴミが金属製のゴミであると、端子間でショートしてしまうという問題がある。
【０００９】
また、上述した特許文献１に記載の制御基板では、スペーサ部材は、コネクタの周囲で制御基板とケース蓋体との間の隙間を埋めるものであるが、このスペーサ部材のコネクタ嵌合穴とコネクタとの間には隙間があるため、この隙間にゴミが侵入して接続端子間に入り込むという虞がある。
また、上述した特許文献２に記載の制御基板では、コネクタと保護シートの抜け部との間にはクリアランス（隙間）があるため、この隙間にゴミが侵入して接続端子間に入り込むという虞がある。
【００１０】
本発明は、前記事情に鑑みてなされたもので、回路基板に設けられたコネクタを当該回路基板に接続するための接続端子間へのゴミの入り込みを防止できる接続端子保護構造を有する遊技機を提供することを目的とする。
【課題を解決するための手段】
【００１１】
前記目的を達成するために、本発明の遊技機は、回路基板に設けられたコネクタを前記回路基板に接続するための接続端子を保護シートによって保護する接続端子保護構造を有する遊技機であって、
前記保護シートは、前記コネクタの平面視における外形より小さい開口部と、この開口部の開口縁部に形成されて、当該開口部を拡げるための切込みとを有し、
前記保護シートは、拡げられている前記開口部にコネクタが挿通された状態で、外周部が前記回路基板の表面に密着しているとともに、前記開口縁部が、前記コネクタの側面のうち、少なくとも前記接続端子が設けられている側の側面に前記接続端子より前記コネクタの先端部側において密接していることを特徴とする。
【００１２】
本発明においては、保護シートの開口縁部に切込みが形成されているので、この切込みによって、開口縁部を、開口部を拡げるように容易に外側に曲げることができる。したがって、コネクタの外形寸法の交差によるバラツキや実装ずれ等を吸収して、保護シートの開口部に容易にコネクタを挿通できる。
また、保護シートの開口部の開口縁部が、コネクタの側面のうち、少なくとも接続端子が設けられている側の側面に接続端子よりコネクタの先端部側において密接しているとともに、保護シートの外周部が回路基板の表面に密着しているので、接続端子は保護シートによって密閉されている。したがって、回路基板を保護する保護カバーの開口部の開口縁とコネクタの下端部の側面との間の隙間からゴミが侵入しても、このゴミの接続端子間への入り込みを防止できる。
【００１３】
また、本発明の前記構成において、前記切込みは、前記開口縁部のうち、少なくとも前記接続端子が設けられている側の側面と対向する開口縁部の両端側に形成されていてもよい。
【００１４】
このような構成によれば、コネクタの接続端子が設けられている側の側面と対向する開口縁部の両端側に切込みが形成されているので、この切込みによって、開口縁部を、開口部を拡げるように容易に外側に曲げることができる。したがって、コネクタの外形寸法の交差によるバラツキや実装ずれ等を吸収して、保護シートの開口部に容易にコネクタを挿通できるとともに、コネクタの接続端子が設けられている側の側面に開口縁部を容易に密接させて、ゴミの接続端子間への入り込みを防止できる。
【００１５】
また、本発明の前記構成において、前記開口部の開口縁は四角形状に形成されており、この四角形状の開口縁の隅部に前記切込みが前記開口縁を構成する辺に対して傾斜して形成されていてもよい。
【００１６】
このような構成によれば、四角形状の開口縁の隅部に切込みが開口縁を構成する辺に対して傾斜して形成されているので、これら４つの切込みによって、４つの開口縁部を、開口部を拡げるように容易に外側に曲げることができる。したがって、コネクタの４つの側面それぞれに接続端子が設けられている場合に、４つの側面に開口縁部を容易に密接させて、ゴミの接続端子間への入り込みを防止できる。
また、コネクタの４つの側面のうちの少なくとも１つの側面に接続端子が設けられている場合でも、この接続端子が設けられている側の側面に開口縁部を容易に密接させて、ゴミの接続端子間への入り込みを防止できる。
【００１７】
また、本発明の遊技機は、回路基板に設けられたコネクタを前記回路基板に接続するための接続端子を保護シートによって保護する接続端子保護構造を有する遊技機であって、
前記保護シートは、前記コネクタの平面視における外形より小さい開口部を有するとともに、当該開口部を弾性的に拡げられるような柔軟性を有し、
前記保護シートは、弾性的に拡げられている前記開口部にコネクタが挿通された状態で、外周部が前記回路基板の表面に密着しているとともに、前記開口部の開口縁部が、前記コネクタの側面のうち、少なくとも前記接続端子が設けられている側の側面に前記接続端子より前記コネクタの先端部側において弾性的に密接していることを特徴とする。
【００１８】
本発明においては、保護シートが開口部を弾性的に拡げられるような柔軟性を有しているので、開口部を弾性的に拡げることで、コネクタの外形寸法の交差によるバラツキや実装ずれ等を吸収して、当該開口部に容易にコネクタを挿通できる。
また、保護シートの開口部の開口縁部が、コネクタの側面のうち、少なくとも接続端子が設けられている側の側面に接続端子よりコネクタの先端部側において密接しているとともに、保護シートの外周部が回路基板の表面に密着しているので、接続端子は保護シートによって密閉されている。したがって、回路基板を保護する保護カバーの開口部の開口縁とコネクタの下端部の側面との間の隙間からゴミが侵入しても、このゴミの接続端子間への入り込みを防止できる。
【００１９】
また、本発明の前記構成において、前記回路基板に複数のコネクタが設けられている場合に、前記保護シートは、複数の前記コネクタがそれぞれ挿通される複数の開口部を有していてもよい。
【００２０】
このような構成によれば、１枚の保護シートによって複数のコネクタに設けられている接続端子を保護して、ゴミの接続端子間への入り込みを防止できる。
【発明の効果】
【００２１】
本発明によれば、保護シートの開口部の開口縁部が接続端子が設けられている側の側面に接続端子よりコネクタの先端部側において密接しているとともに、保護シートの外周部が回路基板の表面に密着しているので、接続端子間へのゴミの入り込みを防止できる。
【図面の簡単な説明】
【００２２】
【図１】本発明の実施の形態に係る接続端子保護構造を有する遊技機の一例を示すもので、その斜視図である。
【図２】同、前扉を開いた状態を示す斜視図である。
【図３】本発明の実施の形態に係る遊技機の接続端子保護構造を説明するためのもので、中継基板組立体を示す斜視図である。
【図４】同、中継基板組立体の分解斜視図である。
【図５】同、サブ中継基板の平面図である。
【図６】同、保護シートを設けた状態のサブ中継基板の平面図である。
【図７】同、メイン中継基板の平面図である。
【図８】同、保護シートを設けた状態のメイン中継基板の平面図である。
【図９】同、サブ中継基板における接続端子保護構造の断面図である。
【図１０】同、メイン中継基板における接続端子保護構造の断面図である。
【図１１】同、サブ中継基板に設ける保護シートの平面図である。
【図１２】同、サブ中継基板に設ける他の保護シートの平面図である。
【図１３】同、メイン中継基板に設ける保護シートの平面図である。
【図１４】同、保護シートの変形例を示す要部の平面図である。
【図１５】同、保護シートの他の変形例を示す平面図である。
【図１６】同、サブ中継基板における接続端子保護構造の断面図である。
【図１７】同、保護シートを設けた状態のサブ中継基板の平面図である。
【発明を実施するための形態】
【００２３】
以下、本発明の実施の形態について図面を参照して説明する。
まず、接続端子保護構造を有する遊技機の概略構成について説明する。なお、以下では遊技機の一つであるスロットマシンについて説明するが、本発明に係る接続端子保護構造を有する遊技機は、スロットマシンに限ることなく、その他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００２４】
まず、発明が適用されるスロットマシンＭの概略構成について説明する。
図１はスロットマシンＭを示す斜視図である。このスロットマシンＭは、筐体１を備えており、この筐体１は、底板、左右の側板、天板および背板を備え、当該筐体１の正面側に開口する正面開口部を有する箱形に形成されている。なお、底板の上面には、図２に示すように、各部品に電力を供給するための電源装置を内蔵した電源ユニット４、メダルを貯留するとともにメダルを払い出す払い出し装置としてのホッパーユニット５等が設けられている。
【００２５】
また、筐体１の正面には、筐体１の正面開口部を開閉可能に閉塞する前扉３が設けられており、この前扉３は、前記開口上部を開閉可能に閉塞する上扉３０と、前記開口下部を開閉可能に閉塞する下扉４０とを備えている。
前記筐体１内には、交換ユニット２が着脱可能に設けられている。交換ユニット２は、種々の部品を設置あるいは固定するための支持体としての枠体２１と、この枠体２１に固定されたリールユニット２２および基板ユニット２４とから構成されている。ここで、リールユニット２２は、周囲に複数の図柄を表示した３個の回転リール２２ａと、回転リール２２ａを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００２６】
図１に示すように、上扉３０の上部の向かって右側には、小型の表示窓３１が設けられ、この表示窓３１の奥には、前記３個の回転リール２２ａが横一列に設けられている。各回転リール２２ａの外周面には複数種類の図柄が配列されており、回転リール２２ａが停止すると表示窓３１を通して１リール当たり３個の図柄が表示される。スロットマシンＭでは、横３本と斜め２本とからなる計５本の入賞有効ラインが設定されている。
そして、３個の回転リール２２ａが停止したときに入賞有効ライン上に停止した図柄の組み合わせによって当選役が入賞したか否かが表示される。
また、上扉３０の中央部には、大型の表示窓３２が設けられている。この表示窓３２は上扉３０に設けられた表示ユニット３２Ａ（図２参照）の表示面を見るために設けられたものであり、この表示ユニット３２Ａでは、その表示面に遊技機における演出用の画像が表示されるようになっている。
また、上扉３０の表示窓３２の上部および左右両側部には、報知や演出などを行うためのランプ３３ａ,３３ｂ,３３ｃが設けられている。
【００２７】
また、上扉３０は、筐体１内に設けられた前記交換ユニット２にヒンジを介して回動可能に連結されることで、筐体１の開口上部を開閉するようになっている。また、下扉４０は筐体１にヒンジを介して回動可能に連結されることで、筐体１の開口下部を開閉するようになっている。
【００２８】
なお、このスロットマシンＭは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニット４やホッパーユニット５等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０とに分けない一体の構造としてもよい。また、上扉３０と下扉４０とに分ける場合に、上扉３０を、筐体１の側板にヒンジを介して回動自在に取り付けてもよい。
また、上扉３０の下端部には、下扉４０の前面より後方側で下扉４０の上端より下側に突出する係合部が設けられ、下扉４０が閉じた状態で、上扉３０を開放することができない構造になっている。
【００２９】
また、下扉４０の上部には、スロットマシンＭを操作するための操作部５０が設けられている。操作部５０には、クレジットされたメダルを払い出すための精算スイッチ５２、ゲームを開始させるためのスタートレバー５３、回転リールの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００３０】
また、下扉４０の下部には、スロットマシン内部よりメダルを排出するためのメダル払い出し口と、メダル払い出し口から排出されたメダルを溜めておくためのメダル受け皿４３とが形成されている。また、操作部５０とメダル受け皿４３との間には液晶表示パネル４５が取り付けられている。また、この液晶表示パネル４５の左右両側にはそれぞれ報知や演出などを行うためのランプ３３ｄが設けられている。
【００３１】
次に、本発明の実施の形態に係るスロットマシンＭの接続端子保護構造について説明する。
図２に示すように、交換ユニット２は、回転リール２２の下側において中継基板組立体９０を備えている。
この中継基板組立体９０は略水平に設けられており、図３および図４に示すように、左右に隣接して配置されたサブ中継基板（回路基板）１００と、メイン中継基板２００とを備えている。
【００３２】
サブ中継基板１００の上面の前側には透明な樹脂で形成されたカバー部材１０１が被されている。カバー部材１０１には、複数の開口部１０１ａ，１０１ｂ，１０１ｃがカバー部材１０１を貫通して形成されている。開口部１０１ａ，１０１ｂ，１０１ｃは横長の矩形状に形成されており、当該開口部１０１ａ，１０１ｂ，１０１ｃには、後述するコネクタ１１１，１１２，１１３が挿通されるようになっている。
メイン中継基板２００の上面の前側には透明な樹脂で形成されたカバー部材２０１が被されている。カバー部材２０１には、２つの開口部２０１ａ，２０１ｂがカバー部材２０１を貫通して形成されている。開口部２０１ａ，２０１ｂは横長の矩形状に形成されており、当該開口部２０１ａ，２０１ｂには、後述するコネクタ２１１，２１２が挿通されるようになっている。
【００３３】
また、サブ中継基板１００とメイン中継基板２００とには、中継基板カバー３００が被されている。この中継基板カバー３００は透明な樹脂で形成されており、その上面の前側には矩形状の開口部３０１，３０２が左右に隣接して形成されている。中継基板カバー３００は、サブ中継基板１００およびメイン中継基板２００のうち、カバー部材１０１，２０１によって覆われていない部分を覆っており、開口部３０１，３０２にはカバー部材１０１，２０１が臨んでいる。
【００３４】
サブ中継基板１００の上面には、複数のコネクタ１１１，１１２，１１３が設けられている（実装されている）。
コネクタ１１１は横長の直方体状に形成されており、図５に示すように、当該コネクタ１１１の平面視における長辺方向に沿う両側面の下端部には、複数の接続端子１１１ａがコネクタ１１１の平面視における長辺方向に沿って所定間隔で設けられている。接続端子１１１ａはコネクタ１１１の両側面の下部から張り出すようにして設けられるとともに、サブ中継基板１００の表面（上面）に接続されている。
コネクタ１１２は、コネクタ１１１の右側に所定間隔をもって設けられている。また、コネクタ１１２は、コネクタ１１１より小さい横長の直方体状に形成されており、当該コネクタ１１２の平面視における長辺方向に沿う両側面の下端部には、複数の接続端子１１２ａがコネクタ１１２の平面視における長辺方向に沿って所定間隔で設けられている。接続端子１１２ａはコネクタ１１２の両側面の下部から張り出すようにして設けられるとともに、サブ中継基板１００の表面（上面）に接続されている。
コネクタ１１３は、コネクタ１１２より前側（図５において下側）において、左右に等間隔で３つ設けられている。また、コネクタ１１３は、コネクタ１１２より小さい横長の矩形状に形成されており、当該コネクタ１１３の長辺方向に沿う両側面の下端部には、複数の接続端子１１３ａがコネクタ１１３の平面視における長辺方向に沿って所定間隔で設けられている。接続端子１１３ａはコネクタ１１１の両側面の下部から張り出すようにして設けられるとともに、サブ中継基板１００の表面（上面）に接続されている。
【００３５】
メイン中継基板２００の上面には、図７に示すように、複数のコネクタ２１１，２１２が設けられている（実装されている）。
コネクタ２１１は横長の略直方体状に形成されており、図１０に示すように、下面から突出する複数の接続端子２１１ａがコネクタ２１１の平面視における長辺方向（図１０において紙面と直交する方向）に沿って所定間隔で、かつ４列設けられている。また、接続端子２１１ａはメイン中継基板２００を貫通している。
また、コネクタ２１１の下面とメイン中継基板２００との間には、隙間が設けられており、この隙間はコネクタ２１１の下面外周部にも存在する。したがって、後述する保護シート２２０を設けなければ、この隙間からゴミ等がコネクタ２１１の下面とメイン中継基板２００の表面との間に侵入する虞がある。したがって、後述するように、保護シート２２０を設けることによって、接続端子２１１ａを保護している。
【００３６】
コネクタ２１２は、図７に示すように、コネクタ２１１より前側（図７において下側）において、左右に等間隔で３つ設けられている。このコネクタ２１２は、コネクタ２１１より小さい横長の略直方体状に形成されており、図示は省略するが、コネクタ２１２の下面から突出する複数の接続端子がコネクタ２１２の平面視における長辺方向に沿って所定間隔で設けられている。
また、コネクタ２１２の下面はメイン中継基板２００の表面に密着しており、コネクタ２１１と異なり、コネクタ２１２の下面とメイン中継基板２００の表面との間には隙間が無いため、保護シートを設けなくても、ゴミ等がコネクタ２１１の下面とメイン中継基板２００の表面との間に侵入することは無い。したがって、コネクタ２１２の接続端子は保護シートによって保護する必要は無い。
【００３７】
図６および図９に示すように、サブ中継基板１００には保護シート１２０が設けられ、この保護シート１２０によってコネクタ１１１の接続端子１１１ａとコネクタ１１２の接続端子１１２ａとが保護されている。同様にサブ中継基板１００には保護シート１２１が設けられ、この保護シート１２１によってコネクタ１１３の接続端子１１３ａが保護されている。
【００３８】
保護シート１２０は、図１１に示すように、矩形の薄い（例えば厚さ０．１ｍｍ〜０．２ｍｍ）シート状のものであり、例えば、耐熱性と帯電防止性に優れた帯電防止ＰＥＴ（ポリエチレンテレフタレート）フィルムによって形成されている。この保護シート１２０には、コネクタ１１１の平面視における外形より小さい矩形状の開口部１２２と、コネクタ１１２の平面視における外形より小さい矩形状の開口部１２３とが形成されている。
開口部１２２の開口縁の４つの隅部には、開口部１２２を拡げるための切込み１２２ａが開口縁を構成する辺に対して４５°傾斜して形成されている。開口部１２２の開口縁の長辺方向（図１１において左右方向）に隣り合う切込み１２２ａ，１２２ａ間に位置する開口縁部１２２ｂは、切込み１２２ａ，１２２ａの切込み終端どうしを結ぶ線分１２２ｃを軸として保護シート１２０の表面に対して交差する方向に弾性的に折り曲げ可能となっている。
また、開口部１２２の開口縁の短手方向（図１１において上下方向）に隣り合う切込み１２２ａ，１２２ａ間に位置する開口縁部１２２ｄは、切込み１２２ａ，１２２ａの切込み終端どうしを結ぶ線分１２２ｅを軸として保護シート１２０の表面に対して交差する方向に弾性的に折り曲げ可能となっている。
このように、開口縁部１２２ｂ，１２２ｂと開口縁部１２２ｄ，１２２ｄとが折り曲げ可能となっているので、開口縁部１２２ｂ，１２２ｂを、線分１２２ｃ，１２２ｃを軸として保護シート１２０の表面側でかつ外側に折り曲げるとともに、開口縁部１２２ｄ，１２２ｄを、線分１２２ｅ，１２２ｅを軸として保護シート１２０の表面側でかつ外側に折り曲げることによって、開口部１２２が拡がるようになっている。
また、切込み１２２ａの長さは、例えば、線分１２２ｃ，１２２ｃ，１２２ｅ，１２２ｅで囲まれた平面視矩形の外形寸法が、コネクタ１１１の平面視における外形寸法とほぼ等しいか若干大きくなるように、設定されている。例えば、切込み１２２ａの長さは２ｍｍ程度に設定されている。なお、後述する切込み１２３ａ，１２４ａ，２２２ａの長さも２ｍｍ程度に設定されている。
【００３９】
同様に、開口部１２３の開口縁の４つの隅部には、開口部１２３を拡げるための切込み１２３ａが開口縁を構成する辺に対して４５°傾斜して形成されている。開口部１２３の開口縁の長辺方向に隣り合う切込み１２３ａ，１２３ａ間に位置する開口縁部１２３ｂは、切込み１２３ａ，１２３ａの切込み終端どうしを結ぶ線分１２３ｃを軸として保護シート１２０の表面に対して交差する方向に弾性的に折り曲げ可能となっている。
また、開口部１２３の開口縁の短手方向に隣り合う切込み１２２ａ，１２２ａ間に位置する開口縁部１２３ｄは、切込み１２３ａ，１２３ａの切込み終端どうしを結ぶ線分１２３ｅを軸として保護シート１２０の表面に対して交差する方向に弾性的に折り曲げ可能となっている。
このように、開口縁部１２３ｂ，１２３ｂと開口縁部１２３ｄ，１２３ｄとが折り曲げ可能となっているので、開口縁部１２３ｂ，１２３ｂを、線分１２３ｃ，１２３ｃを軸として保護シート１２０の表面側でかつ外側に折り曲げるとともに、開口縁部１２３ｄ，１２３ｄを、線分１２３ｅ，１２３ｅを軸として保護シート１２０の表面側でかつ外側に折り曲げることによって、開口部１２３が拡がるようになっている。
また、切込み１２３ａの長さは、例えば、線分１２３ｃ，１２３ｃ，１２３ｅ，１２３ｅで囲まれた平面視矩形の外形寸法が、コネクタ１１２の平面視における外形寸法とほぼ等しいか若干大きくなるように、設定されている。
【００４０】
保護シート１２１は、図１２に示すように、矩形の薄いシート状のものであり、例えば、耐熱性と帯電防止性に優れた帯電防止ＰＥＴフィルムによって形成されている。この保護シート１２１には、コネクタ１１３の平面視における外形より小さい矩形状の３つの開口部１２４が左右方向に所定間隔で形成されている。
開口部１２４の開口縁の４つの隅部には、開口部１２４を拡げるための切込み１２４ａが開口縁を構成する辺に対して４５°傾斜して形成されている。開口部１２４の開口縁の長辺方向（図１２において左右方向）に隣り合う切込み１２４ａ，１２４ａ間に位置する開口縁部１２４ｂは、切込み１２４ａ，１２４ａの切込み終端どうしを結ぶ線分１２４ｃを軸として保護シート１２１の表面に対して交差する方向に弾性的に折り曲げ可能となっている。
また、開口部１２４の開口縁の短手方向（図１２において上下方向）に隣り合う切込み１２４ａ，１２４ａ間に位置する開口縁部１２４ｄは、切込み１２４ａ，１２４ａの切込み終端どうしを結ぶ線分１２４ｅを軸として保護シート１２１の表面に対して交差する方向に弾性的に折り曲げ可能となっている。
このように、開口縁部１２４ｂ，１２４ｂと開口縁部１２４ｄ，１２４ｄとが折り曲げ可能となっているので、開口縁部１２４ｂ，１２４ｂを、線分１２４ｃ，１２４ｃを軸として保護シート１２１の表面側でかつ外側に折り曲げるとともに、開口縁部１２４ｄ，１２４ｄを、線分１２４ｅ，１２４ｅを軸として保護シート１２１の表面側でかつ外側に折り曲げることによって、開口部１２４が拡がるようになっている。
また、切込み１２４ａの長さは、例えば、線分１２４ｃ，１２４ｃ，１２４ｅ，１２４ｅで囲まれた平面視矩形の外形寸法が、コネクタ１１３の平面視における外形寸法とほぼ等しいか若干大きくなるように、設定されている。
【００４１】
また、図８および図１０に示すように、メイン中継基板２００には保護シート２２０が設けられ、この保護シート２２０によってコネクタ２１１の接続端子２１１ａが保護されている。
保護シート２２０は、図１３に示すように、矩形の薄いシート状のものであり、例えば、耐熱性と帯電防止性に優れた帯電防止ＰＥＴフィルムによって形成されている。この保護シート２２０には、コネクタ２１１の平面視における外形より小さい矩形状の開口部２２２が形成されている。
開口部２２２の開口縁の４つの隅部には、開口部２２２を拡げるための切込み２２２ａが開口縁を構成する辺に対して４５°傾斜して形成されている。開口部２２２の開口縁の長辺方向（図１３において左右方向）に隣り合う切込み２２２ａ，２２２ａ間に位置する開口縁部２２２ｂは、切込み２２２ａ，２２２ａの切込み終端どうしを結ぶ線分２２２ｃを軸として保護シート２２０の表面に対して交差する方向に弾性的に折り曲げ可能となっている。
また、開口部２２２の開口縁の短手方向（図１３において上下方向）に隣り合う切込み２２２ａ，２２２ａ間に位置する開口縁部２２２ｄは、切込み２２２ａ，２２２ａの切込み終端どうしを結ぶ線分２２２ｅを軸として保護シート２２０の表面に対して交差する方向に弾性的に折り曲げ可能となっている。
このように、開口縁部２２２ｂ，２２２ｂと開口縁部２２２ｄ，２２２ｄとが折り曲げ可能となっているので、開口縁部２２２ｂ，２２２ｂを、線分２２２ｃ，２２２ｃを軸として保護シート２２０の表面側でかつ外側に折り曲げるとともに、開口縁部２２２ｄ，２２２ｄを、線分２２２ｅ，２２２ｅを軸として保護シート２２０の表面側でかつ外側に折り曲げることによって、開口部２２２が拡がるようになっている。
また、切込み２２２ａの長さは、例えば、線分２２２ｃ，２２２ｃ，２２２ｅ，２２２ｅで囲まれた平面視矩形の外形寸法が、コネクタ２１１の平面視における外形寸法とほぼ等しいか若干大きくなるように、設定されている。
【００４２】
前記保護シート１２０は、図６および図９に示すように、拡げられている開口部１２２，１２３にコネクタ１１１，１１２が挿通された状態で、外周部がサブ中継基板１００の表面に密着しているとともに、開口部１２２の開口縁部１２２ｂ，１２２ｄがコネクタ１１１の４つの側面にそれぞれ密接し、開口部１２３の開口縁部１２３ｂ，１２３ｄがコネクタ１１２の４つの側面にそれぞれ密接している。
すなわち、保護シート１２０の開口縁部１２２ｂ，１２２ｄ（１２３ｂ，１２３ｄ）は、線分１２２ｃ，１２２ｅ（１２３ｃ，１２３ｅ）を軸として上側でかつ外側に弾性的に折り曲げられることによって、開口部１２２（１２３）がコネクタ１１１（１１２）の平面視における外形とほぼ等しいか若干大きくなるように拡がり、この拡がった開口部１２２（１２３）に、コネクタ１１１（１１２）が挿通されている。
【００４３】
また、開口部１２２（１２３）にコネクタ１１１（１１２）が挿通された状態において、開口縁部１２２ｂ（１２３ｂ）が、コネクタ１１１（１１２）の側面のうち、接続端子１１１ａ（１１２ａ）が設けられている側の側面に接続端子１１１ａ（１１２ａ）よりコネクタ１１１（１１２）の先端部側（図９において上側）において密接している。したがって、コネクタ１１１（１１２）の接続端子１１１ａ（１１２ａ）は、保護シート１２０によって密閉されている。
同様に、開口部１２２（１２３）にコネクタ１１１（１１２）が挿通された状態において、開口縁部１２２ｄ（１２３ｄ）が、コネクタ１１１（１１２）の側面のうち、接続端子１１１ａ（１１２ａ）が設けられていない側の側面に密接している。
【００４４】
同様に、保護シート１２１は、図６に示すように、拡げられている開口部１２４にコネクタ１１３が挿通された状態で、外周部がサブ中継基板１００の表面に密着しているとともに、開口部１２４の開口縁部１２４ｂ，１２４ｄがコネクタ１１３の４つの側面にそれぞれ密接している。
すなわち、保護シート１２１の開口縁部１２４ｂ，１２４ｄは、線分１２４ｃ，１２４ｅを軸として上側でかつ外側に弾性的に折り曲げられることによって、開口部１２４がコネクタ１１３の平面視における外形とほぼ等しいか若干大きくなるように拡がり、この拡がった開口部１２４に、コネクタ１１３が挿通されている。
【００４５】
また、開口部１２４にコネクタ１１３が挿通された状態において、開口縁部１２４ｂが、コネクタ１１３の側面のうち、接続端子１１３ａが設けられている側の側面に接続端子１１３ａよりコネクタ１１３の先端部側において密接している。したがって、コネクタ１１３の接続端子１１３ａは、保護シート１２１によって密閉されている。
同様に、開口部１２４にコネクタ１１３が挿通された状態において、開口縁部１２４ｄが、コネクタ１１３の側面のうち、接続端子１１３ａが設けられていない側の側面に密接している。
【００４６】
また、保護シート２２０は、図８および図１０に示すように、拡げられている開口部２２２にコネクタ２１１が挿通された状態で、外周部がメイン中継基板２００の表面に密着しているとともに、開口部２２２の開口縁部２２２ｂ，２２２ｄがコネクタ２１１の４つの側面にそれぞれ密接している。
すなわち、保護シート２２０の開口縁部２２２ｂ，２２２ｄは、線分２２２ｃ，２２２ｅを軸として上側でかつ外側に弾性的に折り曲げられることによって、開口部２２２がコネクタ２１１の平面視における外形とほぼ等しいか若干大きくなるように拡がり、この拡がった開口部２２２に、コネクタ２１１が挿通されている。
また、開口部２２２にコネクタ２１１が挿通された状態において、開口縁部２２２ｂ，２２２ｄが、コネクタ１１１の側面に密接している。
したがって、コネクタ２１１の接続端子２１１ａは、保護シート２２０によって密閉されている。
【００４７】
以上のように本実施の形態によれば、保護シート１２０，１２１，２２０の開口縁部１２２ｂ，１２２ｄ，１２３ｂ，１２３ｄ，１２４ｂ，１２４ｄ，２２２ｂ，２２２ｄに切込み１２２ａ，１２３ａ，１２４ａ，２２２ａが形成されているので、この切込み１２２ａ，１２３ａ，１２４ａ，２２２ａによって、開口縁部１２２ｂ，１２２ｄ，１２３ｂ，１２３ｄ，１２４ｂ，１２４ｄ，２２２ｂ，２２２ｄを、開口部１２２，１２３，１２４，２２２を拡げるように容易に外側に曲げることができる。したがって、コネクタ１１１，１１２，１１３，２１１の外形寸法の交差によるバラツキや実装ずれ等を吸収して、保護シート１２０，１２１，２２０の開口部１２２，１２３，１２４，２２２に容易にコネクタ１１１，１１２，１１３，２１１を挿通できる。
【００４８】
また、保護シート１２０，１２１の開口部１２２，１２３，１２４の開口縁部１２２ｂ，１２３ｂ，１２４ｂが、コネクタ１１１，１１２，１１３の側面のうち、接続端子１１１ａ，１１２ａ，１１３ａが設けられている側の側面に接続端子１１１ａ，１１２ａ，１１３ａよりコネクタ１１１，１１２，１１３の先端部側において密接しているとともに、保護シート１２０，１２１の外周部がサブ中継基板１００の表面に密着しているので、接続端子１１１ａ，１１２ａ，１１３ａは保護シート１２０，１２１によって密閉されている。したがって、サブ中継基板１００を保護するカバー部材１０１の開口部１０１ａ〜１０１ｃの開口縁とコネクタ１１１〜１１３の下端部の側面との間の隙間からゴミが侵入しても、このゴミの接続端子間への入り込みを防止できる。
また、保護シート２２０の開口部２２２にコネクタ２１１が挿通された状態において、開口縁部２２２ｂ，２２２ｄが、コネクタ１１１の側面に密接しているので、コネクタ２１１の接続端子２１１ａは、保護シート２２０によって密閉されている。したがって、メイン中継基板２００を保護するカバー部材２０１の開口部２０１ａの開口縁とコネクタ２１１の下端部の側面との間の隙間からゴミが侵入しても、このゴミの接続端子間への入り込みを防止できる。
【００４９】
また、切込み１２２ａ（１２３ａ，１２４ａ，２２２ａ）は、それぞれ四角形状の開口縁の隅部に開口縁を構成する辺に対して４５°傾斜して形成されているので、これら４つの切込み１２２ａ（１２３ａ，１２４ａ，２２２ａ）によって、４つの開口縁部１２２ｂ，１２２ｂ，１２２ｄ，１２２ｄ（１２３ｂ，１２３ｂ，１２３ｄ，１２３ｄ，１２４ｂ，１２４ｂ，１２４ｄ，１２４ｄ，２２２ｂ，２２２ｂ，２２２ｄ，２２２ｄ）を、開口部１２２（１２３，１２４，２２２）を拡げるように容易に外側に曲げることができる。
本実施の形態では、コネクタ１１１，１１２，１１３の４つの側面のうち、対向する２つの側面にそれぞれ接続端子が設けられているが、コネクタ１１１，１１２，１１３の４つの側面それぞれに接続端子が設けられている場合でも、４つの側面に開口縁部を容易に密接させて、ゴミの接続端子間への入り込みを防止できる。
また、コネクタ１１１，１１２，１１３の４つの側面のうちの少なくとも一つの側面に接続端子が設けられている場合でも、この接続端子が設けられている側の側面に開口縁部を容易に密接させて、ゴミの接続端子間への入り込みを防止できる。
さらに、保護シート１２０（１２１）は、複数のコネクタ１１１，１１２（１１３）がそれぞれ挿通される複数の開口部１２２，１２３（１２４）を有しているので、１枚の保護シート１２０（１２１）によって複数のコネクタ１１１，１１２（１１３）に設けられている接続端子１１１ａ，１１２ａ（１１３ａ）を保護して、ゴミの接続端子間への入り込みを防止できる。
【００５０】
なお、本実施の形態では、切込み１２２ａ（１２３ａ，１２４ａ，２２２ａ）を開口縁の４つの隅部にそれぞれ形成したが、切込みは保護シートの開口縁部のうち、少なくとも接続端子が設けられている側の側面と対向する開口縁部の両端側に形成されていてもよい。
また、切込み１２２ａ（１２３ａ，１２４ａ，２２２ａ）を、開口縁を構成する辺に対して４５°傾斜して形成したが、切込みの角度はこれに限ることはなく、適宜設定してもよいし、例えば、図１４に示すように、切込み１２２ａ（１２３ａ，１２４ａ，２２２ａ）を、開口縁を構成する辺に対して直角に形成してもよい。
【００５１】
次に、本実施の形態に係るスロットマシンＭの接続端子保護構造の他の例について、図１５〜図１７を参照して説明する。
図１５は保護シートの平面図、図１６は接続端子保護構造の断面図、図１７は同平面図である。
この接続端子保護構造が、上述した接続端子保護構造と主に異なる点は、保護シート４００，５００の素材と、保護シート４００，５００に切込みが無い点であるので、以下ではこの点について説明し、上述した接続端子保護構造と同一構成については、同一符号を付して、その説明を省略ないし簡略化する。
【００５２】
図１５に示すように、保護シート４００は、矩形の薄いシート状のものであり、例えば、耐熱性と帯電防止性に優れたシリコーンゴム等のゴム部材によって形成されている。この保護シート４００には、コネクタ１１１の平面視における外形より小さい矩形状の開口部４２２と、コネクタ１１２の平面視における外形より小さい矩形状の開口部４２３とが形成されている。また、保護シート４００は、開口部４２２，４２３を弾性的に拡げられるような柔軟性を有しており、これによって、開口部４２２，４２３は、コネクタ１１１，１１２の平面視における外形とほぼ等しいか若干大きくなるように、図１５において、二点鎖線で示す部分まで弾性的に拡がることが可能となっている。
【００５３】
保護シート４００は、図１６および図１７に示すように、拡げられている開口部４２２，４２３にコネクタ１１１，１１２が挿通された状態で、外周部がサブ中継基板１００の表面に密着しているとともに、開口部４２２の開口縁部４２２ｂ，４２２ｄがコネクタ１１１の４つの側面にそれぞれ密接し、開口部４２３の開口縁部４２３ｂ，４２３ｄがコネクタ１１２の４つの側面にそれぞれ密接している。
すなわち、保護シート４００の開口部４２２（４２３）がコネクタ１１１（１１２）の平面視における外形とほぼ等しいか若干より大きくなるように弾性的に拡がり、この拡がった開口部４２２（４２３）に、コネクタ１１１（１１２）が挿通されている。
【００５４】
また、開口部４２２（４２３）にコネクタ１１１（１１２）が挿通された状態において、開口縁部４２２ｂ（４２３ｂ）が、コネクタ１１１（１１２）の側面のうち、接続端子１１１ａ（１１２ａ）が設けられている側の側面に接続端子１１１ａ（１１２ａ）よりコネクタ１１１（１１２）の先端部側（図１６おいて上側）において密接している。したがって、コネクタ１１１（１１２）の接続端子１１１ａ（１１２ａ）は、保護シート４００によって密閉されている。
同様に、開口部４２２（４２３）にコネクタ１１１（１１２）が挿通された状態において、開口縁部４２２ｄ（４２３ｄ）が、コネクタ１１１（１１２）の側面のうち、接続端子１１１ａ（１１２ａ）が設けられていない側の側面に密接している。
【００５５】
このように本実施の形態によれば、保護シート４００が開口部４２２，４２３を弾性的に拡げられるような柔軟性を有しているので、開口部４２２，４２３を弾性的に拡げることによって、コネクタ１１１，１１２の外形寸法の交差によるバラツキや実装ずれ等を吸収して、当該開口部４２２，４２３に容易にコネクタ１１１，１１２を挿通できる。
また、保護シート４００の開口部４２２，４２３の開口縁部４２２ｂ，４２３ｂが、コネクタ１１１，１１２の側面のうち、接続端子１１１ａ，１１２ａが設けられている側の側面に接続端子１１１ａ，１１２ａよりコネクタ１１１，１１２の先端部側において密接しているとともに、保護シート４００の外周部がサブ中継基板１００の表面に密着しているので、接続端子１１１ａ，１１２ａは保護シート４００によって密閉されている。したがって、サブ中継基板１００を保護するカバー部材１０１の開口部１０１ａ，１０１ｂの開口縁とコネクタ１１１，１１２の下端部の側面との間の隙間からゴミが侵入しても、このゴミの接続端子間への入り込みを防止できる。
【００５６】
なお、本実施の形態では、図１７に示すように、サブ中継基板１００には、シリコーンゴムで形成された保護シート５００が設けられ、この保護シート５００によって、コネクタ１１３の接続端子１１３ａが保護されているが、この保護構造は、保護シート４００による保護構造と同様であるので、その説明を省略する。
また、図示は省略するが、メイン中継基板にも、シリコーンゴムで形成された保護シートが設けられ、この保護シートによって、コネクタの接続端子を保護されているが、この保護構造も、保護シート４００による保護構造と同様であるので、その説明を省略する。
【００５７】
また、本実施の形態では、本発明を、遊技機のサブ中継基板１００およびメイン中継基板２００に設けられたコネクタ１１１，１１２，１１３，２１１をサブ中継基板１００およびメイン中継基板２００に接続するための接続端子１１１ａ，１１２ａ，１１３ａ，２１１ａを保護シート１２０，１２１，２２０によって保護する接続端子の保護構造に適用した場合を例にとって説明したが、本発明はこれに限ることなく、サブ中継基板１００およびメイン中継基板２００以外にも、遊技機に搭載された他の複数の制御基板に設けられた接続端子の保護構造にも適用できる。
【符号の説明】
【００５８】
Ｍ  スロットマシン（遊技機）
１００  サブ中継基板（回路基板）
２００  メイン中継基板（回路基板）
１１１，１１２，１１３，２１１  コネクタ
１１１ａ，１１２ａ，１１３ａ，２１１ａ  接続端子
１２０，１２１，２２０，４００，５００  保護シート
１２２，１２３，１２４，２２２，４２２，４２３  開口部
１２２ａ，１２３ａ，１２４ａ，２２２ａ  切込み
１２２ｂ，１２３ｂ，１２４ｂ，２２２ｂ  開口縁部
【図１】
2017158822.tif 000003
【図２】
2017158822.tif 000004
【図３】
2017158822.tif 000005
【図４】
2017158822.tif 000006
【図５】
2017158822.tif 000007
【図６】
2017158822.tif 000008
【図７】
2017158822.tif 000009
【図８】
2017158822.tif 000010
【図９】
2017158822.tif 000011
【図１０】
2017158822.tif 000012
【図１１】
2017158822.tif 000013
【図１２】
2017158822.tif 000014
【図１３】
2017158822.tif 000015
【図１４】
2017158822.tif 000016
【図１５】
2017158822.tif 000017
【図１６】
2017158822.tif 000018
【図１７】
2017158822.tif 000019